(57)【特許請求の範囲】
【請求項１】
プラスチックから成る少なくとも２つのケーシング部材（１，２）を有する、車両技術において使用するための電子機器用ケーシングであって、両ケーシング部材（１，２）が、少なくとも１つのスナップ結合部を介して互いに係止可能である形式のものにおいて、
前記の少なくとも１つのスナップ結合部が、一方のケーシング部材（２）に配置された弾性的に撓むことのできるスナップ部材（３）と、少なくとも１つの別のケーシング部材（１）に配置された、前記スナップ部材（３）と作用結合状態にもたらされるスナップ部材（４）とから形成されており、
前記スナップ部材（３）が切欠き（３２）を有する舌片（３１）であり、前記スナップ部材（４）が係止フック（４２）であり、前記舌片（３１）は外向きの突出部（３５）を有しており、該舌片（３１）がスリット（３３）を介してケーシング部材（２）から分離されており且つ一方の端部域でしかケーシング部材（２）と結合されておらず、
前記スナップ部材（３）は、前記少なくとも２つのケーシング部材が折り畳まれたときに前記スナップ部材（４）と作用結合が生ぜしめられないように構成され、かつ、後に前記突出部（３５）により圧力が加えられることにより、前記切欠き（３２）と前記係止フック（４２）とが初めて作用結合し、前記舌片（３１）が予負荷をかけられた状態となるように形成されていることを特徴とするケーシング。
【請求項２】
係止フック（４２）が、ケーシング部材（１）の表面に対して引っ込められた領域（４１）に配置されている、請求項１記載のケーシング。
【請求項３】
少なくとも２つのケーシング部材（１，２）が、結合手段を介して互いに結合されている、請求項１又は２記載のケーシング。
【請求項４】
結合手段が少なくとも１つの膜ヒンジ（５）である、請求項３記載のケーシング。
【請求項５】
少なくとも２つのケーシング部材（１，２）がプラスチック射出成形法で製作されている、請求項１から４までのいずれか１項記載のケーシング。
【発明の詳細な説明】
【技術分野】
【０００１】
本発明は、請求項１の上位概念に記載の形式の、自動車において使用するための電子回路、特にアンテナ増幅器のための特にプラスチックから成るケーシングに関する。
【０００２】
プリント配線板（基板）に電子構成素子の配置された電子回路は、一般により良好に絶縁するためにプラスチックから成るケーシングによって、外部から機械的な影響を受けないように保護される。プリント配線板をケーシング内に配置できるようにするためには、ケーシングは２つの同様の又は異なる半部から成っており、この場合、２部分以上も考えられる。プリント配線板を一方のケーシング部材に配置した後で、このケーシング部材は少なくとも１つの別のケーシング部材と解離可能に又は解離不能に互いに結合される。解離不能な結合が行われる場合は、例えば接着剤による結合が考慮される。但しこのことは、故障した場合に構成素子を備えたプリント配線板に到達するためには、ケーシングを破壊せねばならないという欠点を有している。
【０００３】
解離可能な結合の場合は、例えばねじ締結部が考えられる。但し、これらのねじ締結部は、両ケーシング部材を結合するために工具及び付加的な固定手段を必要とするという欠点を有している。このことは所要構成部材を増大させ延いては組込み手間を増大させる。更に、一方のケーシング部材に設けられた係止フックが、他方のケーシング部材に設けられた対応する切欠きに係合するスナップ結合部が公知である。但し、これらのスナップ結合部は、両ケーシング部材を互いに十分固定的に結合しないという欠点を有しているので、スナップ結合部を介して結合するにもかかわらず、両ケーシング部材は未だ相対運動する恐れがあり、このことは不都合な音響効果を生ぜしめる。更に、これによって両ケーシング部材間のシール性が保証されていないので、特に湿気又は飛沫がケーシング内部に侵入する恐れがある。他方では、このようなスナップ結合部には、スナップ結合部が十分に又は全く突入係止しないという危険が存在しており、その結果、視覚的には両ケーシング部材が互いに結合されているという印象を受けるが、運転中、特に振動に際して両ケーシング部材が互いに解離する恐れがある。
【０００４】
従って、本発明の課題は、少なくとも２つのケーシング部材がスナップ結合部によって互いに確実に結合可能な、電子構成素子を備えたプリント配線板、特に自動車用のアンテナ増幅器を収容するための少なくとも２つの部分から成るケーシングを提供することである。
【０００５】
この課題は、請求項１の特徴部に記載の構成によって解決される。
【０００６】
本発明では、少なくとも１つのスナップ結合部が係止後に予負荷をかけられているように構成されており、このためには、一方のケーシング部材に弾性的に撓むことのできるスナップ部材が配置されており且つ少なくとも１つの別のケーシング部材に、前記スナップ部材と作用結合状態にもたらすことのできる部材が配置されている。この場合、弾性的に撓むことのできるスナップ部材は、少なくとも２つのケーシング部材が組み立てられた後で、機械的な作用、特に圧力が加えられた場合に初めて、対応する部材と結合するように形成されている。つまり、少なくとも２つのケーシング部材を互いに結合するためのこのようなスナップ結合部は、少なくとも２つのケーシング部材が組み立てられてスナップ部材に押し付けられることによって、付加的な構成部材無しで簡単に組み込まれるという利点を有している。これにより、前記スナップ部材は他方のケーシング部材に設けられた対応する部材に突入して係止し且つ両ケーシング部材を互いに確実に結合する。スナップ部材に圧力を加えることによって、組立て後はスナップ結合部全体がある程度の予負荷をかけられた状態にあるので、少なくとも２つのケーシング部材は互いに確実に接触して、最早相対運動する恐れはない。本発明の別の利点は、一方のケーシング部材に設けられたスナップ部材に圧力を加えた後で対応する部材に突入係止する間に音（カチカチ音）が聞こえ、これにより、組立て作業員に、スナップ結合部が確実に突入係止したというフィードバックが与えられるという点にある。同じことは、少なくとも２つのハーフケーシングの自動化された組立てについても云える。更に、少なくとも２つのケーシング部材にかけられる予負荷は、これらのケーシング部材を連続使用及び特に車両内を支配しているような厳しい環境条件下でも、少なくとも２つのケーシング部材の相対運動に基づくノイズが発生する恐れ無しで確実に保持するという利点を有している。本発明によるスナップ結合部の利点は、ケーシング内に位置する電子機器を、例えば故障の場合に交換できるようにするために、少なくとも２つのケーシング部材がスナップ結合部の解離によって再度互いに分離可能であるという点にもある。
【０００７】
以下に、本発明の実施例を図面につき詳しく説明する。
【０００８】
図１には、２つのケーシング部材１，２のジオメトリックな実施例が示されているが、本発明は、ケーシング部材１，２のジオメトリックな寸法とは無関係に適用可能である。図１には図示していないが、両ケーシング部材１，２によって取り囲まれる電子機器は、例えば車両からの又は車両への信号を送受信するために使用されるアンテナ増幅器又はビデオモジュール等である。本発明によるケーシングの有利な適用分野は車両技術である。それというのも、ここでは温度変化及び振動等の厳しい環境条件が支配しているので、この有利な適用分野では、２つの（又は２つ以上の）ケーシング部材１，２が互いに確実に且つ永続的に結合されるということが特に重要だからである。この目的のためには、本発明によるスナップ部材３が、一方のケーシング部材（図１ではケーシング部材２）に１つ又は複数設けられている。図示の実施例では、ケーシング部材２に設けられたスナップ部材は切欠き３２を備えた舌片３１であり、この舌片３１は本実施例では曲げられている。この曲げは、ケーシング部材２の表面に突入しているスリット３３によって実現されており、その結果、舌片３１は長辺側でスリット３３を介してケーシング部材２から分離されており且つ一方の端部域だけでケーシング部材２と結合されている。これにより、このような舌片３１は可動にケーシング部材２に配置されており、このためには更に、舌片３１の運動に際する該舌片３１の裂断を防止するために、スリット３３の端部に拡張部３４が設けられていてよい。
【０００９】
ケーシング部材２に設けられたスナップ部材に対応する部材としては、ケーシング部材１にケーシング部材２のスナップ部材と対応するスナップ部材４が設けられている。両スナップ部材３，４は、スナップ結合部を形成するので、スナップ部材３はスナップ部材４と作用結合状態にもたらすことができる。この場合、特に有利な形式では、スナップ部材４がケーシング部材１の表面に対して引っ込められた領域４１に配置されており、この引っ込められた領域４１には、曲げられた舌片３１の切欠き３２と作用結合状態にもたらされることのできる係止フック４２が配置されている。
【００１０】
図１に示したケーシング部材１，２は互いに別個に又は一緒に製作可能であり、特に有利な形式では、両ケーシング部材１，２の製作中に、両ケーシング部材間に膜ヒンジ５（一般的な結合手段）が設けられている。この膜ヒンジ５は、両ケーシング部材１，２を電子機器（特に電子構成素子、差込み接続部及びコンタクト箇所を備えた回路基板）と一緒に折り畳んで、両スナップ部材３，４を介して互いに結合するだけで済むという利点を有している。このことは、極めて簡単且つ極めて迅速にマニュアルで又は自動化されて行われる。例えば両ケーシング部材１，２の長辺縁部に沿ってシール部材が設けられているということも考えられる。同じことは、両ケーシング部材１，２の内の一方に電子機器を固定する一方で、両ケーシング部材１，２相互を固定する（例えばピン及び対応する孔等の）ガイド部材にも云える。このようなガイド部材は、特に両ケーシング部材１，２が（例えば膜ヒンジ５等の）結合手段を介さずに互いに結合されている場合に必要とされる。
【００１１】
特に有利な形式では、少なくとも２つのケーシング部材１，２はプラスチック射出成形法で製作されており、このプラスチック射出成形法は適当な成形に基づいて、両ケーシング部材１，２の全体構造の構成を１製作過程で実現することを可能にする。このことは特に、両ケーシング部材１，２の製作後に既にこれらのケーシング部材１，２に存在するスナップ部材３，４について云える。これにより、特に有利な形式では後加工が省略される。
【００１２】
図２には、補足的に両ケーシング部材１，２の平面図が示されており、特に有利な形式で互いに対応するスナップ部材３，４の位置が認識される。この場合更に、次の重要な詳細を指摘しておかねばならない。
【００１３】
スナップ部材３は、例えばケーシング部材２の引っ込められた領域４１に配置されていてよいが、必然ではない。この引っ込められた領域内には係止フック４２が設けられており、この係止フック４２は、曲げられた舌片３１の切欠き３２と作用結合状態にもたらされる。舌片３１の適当な形と、この舌片３１を特にスリット３３に基づいてケーシング部材１内に配置することによって、舌片３１はケーシング部材１の表面の平面から変向可能である。この場合、係止フック４２に対する舌片３１のジオメトリックな寸法、特に位置は、両ケーシング部材１，２を膜ヒンジ５（又は別の構成要素）を中心として折り畳んだときに、係止フック４２における舌片３１の突入係止がまだ生ぜしめられないように構成されている。
【００１４】
この突入係止は、特に有利な形式では舌片３１に対して機械的に圧力を加えることによって初めて得られる。この目的のために舌片３１は特に突出部３５を有している。この場合、舌片３１は係止フック４２を介して押圧されて、この係止フックにスナップ係合（突入係止）する。これにより、このスナップ結合部は常に予負荷をかけられた状態で、両ケーシング部材１，２を互いに緊締する。舌片３１に対する加圧を簡単にするためには突出部３５が設けられており、この突出部３５を介して、舌片３１を手（例えば親指又は人差し指）又は工具によって、場合によっては自動化もして押し下げることができる。特に有利には、予負荷が、特に舌片３１及び係止フック４２によって実現される本発明に基づくスナップ結合部によって生ぜしめられる。
【図面の簡単な説明】
【００１５】
【図１】２つのケーシング部材の内側を示した図である。
【図２】２つのケーシング部材の外側を示した図である。
【図１】
0004567455.tif 000002
【図２】
0004567455.tif 000003